【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
画像キャプチャ回路であって、
それぞれが単色の１行の画素列を表す複数の色成分を所定の順序で有するシリアルアナログカラー信号を受信するよう動作可能なデジタイザを備え、前記デジタイザは、
複数の信号修正チャネルであって、そのうちの１つが対応する修正パラメータに従い、前記複数の色成分のそれぞれを順次修正するよう動作可能である複数の信号修正チャネルと、
前記チャネルの前記１つからの修正された色成分を順次受信し、かつ、デジタル化するよう動作可能なＡ／Ｄコンバータと、を有し、
前記画像キャプチャ回路は、前記デジタイザに接続され、前記チャネルが修正している色成分に対応させるべく前記修正パラメータを順次更新するよう動作可能であるコントローラを更に備える画像キャプチャ回路。
【請求項２】
前記修正パラメータは、増幅を含む、請求項１に記載の画像キャプチャ回路。
【請求項３】
前記修正パラメータは、オフセットを含む、請求項１また２に記載の画像キャプチャ回路。
【請求項４】
画像キャプチャ回路であって、
第１のチャネルと第２のチャネルと第３のチャネルとを含み、それぞれのチャネルが単色の１行の画素列を表す複数の色成分を所定の順序で有するシリアルアナログカラー信号を受信するよう動作可能な複数のチャネルと、
処理された前記複数の色成分を前記複数のチャネルから順次受信し、かつ、デジタル化するよう動作可能なＡ／Ｄコンバータと、
前記複数のチャネルのそれぞれから前記シリアルアナログカラー信号を前記Ａ／Ｄコンバータに前記所定の順序で選択的に供給するよう動作可能なコントローラと、
を備え、
前記第１のチャネルは、第１の修正パラメータに従い前記複数の色成分を処理し、前記第２のチャネルは、第２の修正パラメータに従い前記複数の色成分を処理し、前記第３のチャネルは、第３の修正パラメータに従い前記複数の色成分を処理する、
画像キャプチャ回路。
【請求項５】
画像キャプチャ回路であって、
それぞれが単色の１行の画素列を表す複数の色成分を所定の順序で有するシリアルアナログカラー信号を受信するよう動作可能なデジタイザを備え、該デジタイザは、
それぞれが付随する修正パラメータに従い対応する色成分を修正するよう動作可能な複数の信号修正チャネルと、
前記修正された色成分を前記チャネルから受信しかつデジタル化するよう動作可能なＡ／Ｄコンバータと、を有し、
前記画像キャプチャ回路は、前記デジタイザに接続され、前記チャネルが修正している前記色成分に対応させるべく前記修正パラメータを更新するコントローラを更に備える画像キャプチャ回路。
【請求項６】
前記デジタイザは、前記チャネルと前記Ａ／Ｄコンバータとの間に配置されたマルチプレクサをさらに含み、前記コントローラは、前記マルチプレクサをして、前記チャネルを、前記Ａ／Ｄコンバータに所定の順序で接続せしめるようさらに動作可能である、
請求項５に記載の画像キャプチャ回路。
【請求項７】
前記複数の信号修正チャネルのそれぞれは、前記複数の色成分のそれぞれを増幅又はオフセットするようさらに動作可能である、請求項５または６に記載の画像キャプチャ回路。
【請求項８】
前記コントローラは、第１の入力チャネルが前記受信されたアナログカラー信号の第１の色成分を処理し、第２の入力チャネルが前記受信されたアナログカラー信号の第２の色成分を処理し、前記色成分のそれぞれが個別に処理され終わるまで処理し続けるよう、前記デジタイザを制御するようさらに動作可能である、請求項５から７のいずれか１項に記載の画像キャプチャ回路。
【請求項９】
前記コントローラおよび前記デジタイザは、単一のチップ上に形成される、請求項５から８のいずれか１項に記載の画像キャプチャ回路。
【請求項１０】
画像の走査に応答し、一連の色成分を有するシリアルアナログカラー信号を生成するよう動作可能なセンサヘッドをさらに備える、請求項５から９のいずれか１項に記載の画像キャプチャ回路。
【請求項１１】
それぞれが単色の１行の画素列を表す複数の色成分を所定の順序で有するシリアルアナログカラー信号をデジタル化する方法であって、
複数のチャネルから選択されたものの修正パラメータを第１のレベルに設定する段階と、
前記複数の色成分の第１のものを前記選択されたチャネルで修正し、該修正された第１の色成分を第１の期間でデジタル化する段階と、
前記選択されたチャネルの修正パラメータを第２のレベルに設定し、前記複数の色成分の第２のものを前記選択されたチャネルで修正し、かつ、該修正された第２の色成分を前記第１の期間とは異なる第２の期間でデジタル化する段階と、
を含む方法。
【請求項１２】
画像キャプチャ回路であって、
アナログ信号源と、
それぞれが単色の１行の画素列を表す複数の色成分を所定の順序で有するシリアルアナログカラー信号を受信するよう動作可能なデジタイザと、を備え、該デジタイザは、
前記シリアルアナログカラー信号を受信し、かつ、それぞれの色成分を処理するようそれぞれ動作可能な複数のチャネルと、
前記色成分を順次受信してデジタル化するよう動作可能なＡ／Ｄコンバータと、を有し、
前記画像キャプチャ回路は、
前記アナログ信号源と前記デジタイザとの間に接続され、前記アナログ信号源と、それぞれが前記複数のチャネルの１つに接続された複数の並列なデジタイザ入力、前記複数のチャネルのすべてに接続された第１のシリアルデジタイザ入力、および、前記複数のチャネルの単一のチャネルに接続された第２のシリアルデジタイザ入力の１つとの間を切り換えるよう動作可能なスイッチと、
前記デジタイザに接続され、前記複数のチャネルのそれぞれから前記シリアルアナログカラー信号を前記Ａ／Ｄコンバータに前記所定の順序で選択的に供給するよう動作可能なコントローラと、
を更に備える画像キャプチャ回路。
【請求項１３】
それぞれが単色の１行の画素列を表す複数の色成分を所定の順序で有するシリアルアナログカラー信号をデジタル化する方法であって、
前記シリアルアナログカラー信号を単一の入力ノードで受信する段階と、
前記単一の入力ノードと、複数のチャネルの１つに接続された複数の並列なデジタイザ入力、前記複数のチャネルのすべてに接続された第１のシリアルデジタイザ入力、および、前記複数のチャネルの単一のチャネルに接続された第２のシリアルデジタイザの１つとの間を切り換える段階と、
前記切り換え段階に基づき、前記シリアルアナログカラー信号を処理し、かつ、前記複数のチャネルまたは単一のチャネルにおいて１つまたはそれ以上の色成分を修正する段階と、
前記修正された色成分を受信しデジタル化する段階と、
を含む方法。
【請求項１４】
それぞれが単色の１行の画素列を表す複数の色成分を所定の順序で有するシリアルアナログカラー信号をデジタル化する方法であって、
前記シリアルアナログカラー信号を第１および第２のチャネルのそれぞれで受信する段階と、
前記複数の色成分の第１のものを前記第１のチャネルで第１の期間で修正する段階と、
前記複数の色成分の前記第１のものを前記第２のチャネルで前記第１の期間で修正する段階と、
前記複数の色成分の第２のものを前記第２のチャネルで前記第１の期間とは異なる第２の期間で修正する段階と、
前記複数の色成分の前記第２のものを前記第１のチャネルで前記第２の期間で修正する段階と、
前記第１のチャネルで修正された前記複数の色成分の前記第１のもの及び前記第２のチャネルで修正された前記複数の色成分の前記第２のものをデジタル化する段階と、
前記第１のチャネルで修正された前記複数の色成分の前記第２のもの及び前記第２のチャネルで修正された前記複数の色成分の前記第１のものを破棄する段階と、
を含む方法。
【請求項１５】
画像の走査に応答して、それぞれが単色の１行の画素列を表す複数の色成分を所定の順序で有するシリアルアナログカラー信号を生成するよう動作可能なセンサヘッドと、
画像キャプチャ回路と、を備えるスキャナであって、
前記画像キャプチャ回路は、前記シリアルアナログカラー信号を受信するよう動作可能なデジタイザを有し、前記デジタイザは、
それぞれが前記シリアルアナログカラー信号を受信し、かつ、個別の色成分を処理するよう動作可能な複数のチャネルと、
前記色成分を順次受信してデジタル化するよう動作可能なＡ／Ｄコンバータと、を有し、
前記画像キャプチャ回路は、前記デジタイザに接続され、前記複数のチャネルのそれぞれから前記所定の順序で前記シリアルアナログカラー信号を前記Ａ／Ｄコンバータに選択的に供給するよう動作可能なコントローラを更に有するスキャナ。
【請求項１６】
前記複数のチャネルのそれぞれは、前記シリアルアナログカラー信号に接続される、請求項１５に記載のスキャナ。
【請求項１７】
前記コントローラは、前記センサヘッドによる第１の色成分の生成を第１のチャネルによる前記第１の色成分の処理と同期させ、また、前記センサヘッドによる第２の色成分の生成を第２のチャネルによる前記第２の色成分の処理と同期させ、各々の色成分の生成および異なるチャネルによる処理が完了するまで継続するようさらに動作可能である、請求項１５または１６に記載のスキャナ。
【請求項１８】
前記色成分は、赤、緑、および、青を含む、請求項１５から１７のいずれか１項に記載のスキャナ。
【請求項１９】
前記センサヘッドは、ＣＩＳ型である、請求項１５から１８のいずれか１項に記載のスキャナ。
【請求項２０】
画像の走査に応答して、それぞれが単色の１行の画素列を表す複数の色成分を所定の順序で有するシリアルアナログカラー信号を生成するよう動作可能なセンサヘッドと、
画像キャプチャ回路と、を備えるスキャナであって、
前記画像キャプチャ回路は、前記シリアルアナログカラー信号を受信するよう動作可能なデジタイザを備え、前記デジタイザは、
複数の信号修正チャネルであって、そのうちの１つが対応する修正パラメータに従い、前記複数の色成分のそれぞれを順次修正するよう動作可能である複数の信号修正チャネルと、
前記修正された色成分を前記チャネルの前記１つから順次受信し、かつ、デジタル化するよう動作可能なＡ／Ｄコンバータと、を有し、
前記画像キャプチャ回路は、前記デジタイザに接続され、前記チャネルが修正している色成分に対応させるべく前記修正パラメータを順次更新するよう動作可能であるコントローラを更に備えるスキャナ。
【請求項２１】
それぞれが単色の１行の画素列を表す複数の色成分を所定の順序で有するシリアルアナログカラー信号をデジタル化する方法であって、
前記シリアルアナログカラー信号を単一の入力ノードにおいて受信する段階と、
前記単一の入力ノードに接続された第１のチャネルにより前記複数の色成分の第１のものを修正し、該修正された色成分を第１の期間中にデジタル化する段階と、
前記単一の入力ノードに接続された第２のチャネルにより前記複数の色成分の第２のものを修正し、該修正され色成分を前記第１の期間とは異なる第２の期間中にデジタル化する段階と、
を含む方法。
【請求項２２】
それぞれが単色の１行の画素列を表す複数の色成分を所定の順序で有するシリアルアナログカラー信号をデジタル化する方法であって、
複数のチャネルから選択されたものの修正パラメータを第１の所定のレベルに設定し、前記複数の色成分の第１のものを前記選択されたチャネルにより修正し、該修正された第１の成分を第１の期間でデジタル化する段階と、
前記チャネルの前記修正パラメータを第２の所定のレベルに設定し、前記複数の色成分の第２のものを前記選択された前記チャネルにより修正し、該修正された第２の成分を前記第１の期間とは異なる第２の期間でデジタル化する段階と、
含む方法。
【手続補正２】
【補正対象書類名】明細書
【補正対象項目名】００１７
【補正方法】変更
【補正の内容】
【００１７】
本発明の一実施形態によれば、カラースキャナからのシリアルアナログ信号のそれぞれの色成分を個別に処理するための装置が提供される。この装置は、アナログカラー信号を処理するべく動作可能な複数のチャネル（アナログカラー信号のそれぞれの色成分ごとに、１つのチャネル）と、レジスタと、アナログカラー信号に応答してデジタル信号を出力するべく動作可能なＡ／Ｄコンバータとを有するアナログフロントエンド／デジタイザと、シリアルアナログカラー信号のそれぞれの色成分が個別に処理されるように複数の入力チャネルによる色成分の処理を制御するべく動作可能なコントローラとを備える複数チャネル画像キャプチャ回路を備える。アナログフロントエンド／デジタイザのそれぞれの入力チャネルは、色成分に関連付けられたレジスタ内に保存されている値に応答してカラー信号の色成分を修正するべく動作可能なプログラム可能な回路を含むことができる。
【手続補正３】
【補正対象書類名】明細書
【補正対象項目名】００３１
【補正方法】変更
【補正の内容】
【００３１】
別の実施形態では、コントローラ８０は、シリアルアナログカラー信号とパラレルアナログカラー信号の両方について、色成分の処理を制御するべく動作可能である。この実施形態では、信号がシリアルであるかパラレルであるかに関係なく、単一のＡＦＥ４２とコントローラ８０のペアにより、走査ヘッドアナログカラー信号出力を処理することができる。更なる実施形態では、システム９０は、各入力が１つの処理チャネルに接続された複数のパラレル入力、すべての処理チャネルに接続された単一のシリアル信号入力、１つの処理チャネルに接続された単一のシリアル入力との間でスイッチングするべく動作可能なスイッチ（図示せず）を含む。このスイッチは、機械式装置又はトランジスタ装置などの任意の構造を含むことが可能であり、または、単に、配線接続（またはハードワイヤリング）用の代替の位置を提供することも可能である。
【手続補正４】
【補正対象書類名】明細書
【補正対象項目名】００３２
【補正方法】変更
【補正の内容】
【００３２】
本発明は、カラースキャナからのシリアルアナログ信号の各色成分を個別に処理するための装置に関する。この装置は、アナログカラー信号（Analog Vout）を処理するよう動作可能な複数のチャネル（アナログカラー信号の各色成分毎に１チャネル）と、レジスタ（５６）と、アナログカラー信号に応答してディジタル信号(ADC Data)を出力するよう動作可能なアナログ−ディジタルコンバータ（６２）とを有するアナログフロントエンド/ディジタイザ（４２）、及び、シリアルアナログカラー信号の各色成分を個別に処理するように複数の入力チャネルによる色成分処理を制御するよう動作可能なコントローラ（８０）を有する複数チャネル画像キャプチャ回路を備える。アナログフロントエンド/ディジタイザの各入力チャネルは、色成分に関連付けられたレジスタ（５６）内に格納された値に応答して色信号の色成分を変更するよう動作可能なプログラム可能な回路(５４，５８）を含むことができる。